(57)【要約】      （修正有）【課題】ソファー状態からベッド状態へ又は、ベッド状態からソファー状態へ変換する際の背もたれの移動が簡単に出来る。又、ソファー状態へ変換した際には、寝具は完全に遮蔽する事が出来、部屋に於ける設置場所が自由であるソファー兼用ベッドを提供する。【解決手段】左右一対の側面パネル３の間に差し渡した天板６の長側辺の下部に、ベッド部２の一方の長側辺を収納し、使用位置に維持された背もたれ８と協力してソファー状態になる一方で、前記背もたれを前記天板下部に収納して、前記ベッド部の一方の長側辺を引き出してベッド状態になる手段とした。ソファー状態に変換する際又は、ベッド状態へ変換する際の背もたれの移動は前面から出来る背もたれ移動装置手段を備えている。さらに、ソファー状態へ変換した際には背もたれ背後に寝具の収納庫が形成される手段を備えている。【選択図】図１
0003161444.tif 000002
【実用新案登録請求の範囲】
【請求項１】
左右一対の側面パネルと、前記左右一対の側面パネルの間に差し渡した天板と、前記天
板の一方の長側辺の下部に垂直に設けた垂直パネルと、ベッド状態へ変換した際には前記
天板下部の前記天板に接近した状態で収納が可能であり、ソファー状態へ変換した際には
前記天板の一方の長側辺に維持され、ベッド部材上の予め定められた使用位置に移動が可
能な背もたれと、背もたれを収納方向の奥側に向かって低く傾斜した状態で収納が可能な
背もたれ移動装置と、前記天板下部に一方の長側辺近傍を収納した状態で、使用位置に維
持された前記背もたれと協力してソファー状態になる一方で、前記背もたれを収納し、前
記一方の長側辺近傍を引き出してベッド状態になるソファー兼用のベッド部を備えている
ことを特徴とするソファー兼用ベッド。
【請求項２】
前記ベッド部は、左右一対の垂直部材と、前記左右一対の垂直部材の間に設けたベッド
部材と、前記ベッド部材の一方の長側辺に設けたベッド部垂直パネルと、前記ベッド部材
下部に設けたキャスターを備えていることを特徴とする請求項１に記載のソファー兼用ベ
ッド。
【請求項３】
ソファー状態へ変換した際には、前記背もたれ背後の前記天板下部に収納庫が形成され
、前記背もたれは前記収納庫の扉を兼ねることを特徴とする請求項１又は請求項２に記載
のソファー兼用のベッド。
【請求項４】
ベッド状態からソファー状態へ又は、ソファー状態からベッド状態への変換手段として
、前記左右一対の側面パネルには、前記ソファー兼用のベッド部の移動を規制するベッド
部位置決め機構が設けられ、前記背もたれにはランナーを、前記左右一対の側面パネルに
はレールと固定板を設け、前記レールに前記ランナーが組み込まれ、前面から前記背もた
れを移動又は、維持が可能な背もたれ移動装置を備えていることを特徴とする請求項１か
ら請求項３のいずれかに記載のソファー兼用ベッド。
【考案の詳細な説明】
【技術分野】
【０００１】
本発明は、ソファー兼用ベッドに関するものである。
【背景技術】
【０００２】
従来のソファー兼用ベッドの背もたれ部は、ベッド部のいずれか一方の長側辺の近傍の
収納位置とベッド部上の予め定められた使用位置との間を移動する構造になっている（例
えば特許文献１第４図参照）。
【０００３】
に収  従来のソファー兼用ベッドは、ソファーモードへ変換した際、背もたれ部の背後納
された寝具を覆い隠す工夫として、寝具カバー手段を用いている（例えば特許文献１第８
図参照）。
【０００４】
従来のソファー兼用ベッドは、背もたれ部収納側の長側辺を壁に沿って設置し、ベッド
モードに於ける収納状態の背もたれ部を遮蔽しようとしている（例えば特許文献１段落０
０２５、第２図参照）。
【先行技術文献】
【特許文献】
【０００５】
【特許文献１】特開平６−１９７８２３号  公報
【考案の概要】
【考案が解決しようとする課題】
【０００６】
前記ソファー兼用ベッドは、背もたれ部の収納位置と使用位置の間の移動距離があるの
で、背もたれの移動は手間と労力を要する。又、背もたれ部の背後に収納された寝具を覆
い隠す工夫として用いている寝具カバーが見えてしまう。さらに、背もたれ部収納側の長
側辺を壁に沿って設置した際、ソファーモードからベッドモードへ又は、ベッドモードか
らソファーモードへの変換が前面から出来ないので、ソファー兼用ベッドと壁との間には
背もたれを移動するための作業空間が必要であり、前記作業空間へ人が移動するためには
、前記ソファー兼用ベッドの一対の垂直パネルのどちらか一方の側に人が移動できる空間
も必要であるため、部屋に於けるソファー兼用ベッドの設置場所が限られてしまうという
問題点がある。
【課題を解決するための手段】
【０００７】
このような従来の問題を解決しようとするもので、本発明は請求項１の左右一対の側面
パネルと、前記左右一対の側面パネルの間に差し渡した天板と、前記天板の一方の長側辺
の下部に垂直に設けた垂直パネルと、ベッド状態へ変換した際には前記天板下部の前記天
板に接近した状態で収納が可能であり、ソファー状態へ変換した際には前記天板の一方の
長側辺に維持され、ベッド部材上の予め定められた使用位置に移動が可能な背もたれと、
背もたれを収納方向の奥側に向かって低く傾斜した状態で収納が可能な背もたれ移動装置
と、前記天板下部に一方の長側辺近傍を収納した状態で、使用位置に維持された前記背も
たれと協力してソファー状態になる一方で、前記背もたれを収納し、前記一方の長側辺近
傍を引き出してベッド状態になるソファー兼用のベッド部を備えていることを特徴とする
ソファー兼用ベッドを提供することにより上記課題を解決するものである。
【０００８】
本考案は請求項２の、前記ベッド部は、左右一対の垂直部材と、前記左右一対の垂直部
材の間に設けたベッド部材と、前記ベッド部材の一方の長側辺に設けたベッド部垂直パネ
ルと、前記ベッド部材下部に設けたキャスターを備えていることを特徴とする、請求項１
に記載のソファー兼用ベッドを提供することにより上記課題を解決するものである。
【０００９】
本考案は請求項３の、ソファー状態へ変換した際には、前記背もたれ背後の前記天板下
部に収納庫が形成され、前記背もたれは前記収納庫の扉を兼ねることを特徴とする、請求
項１又は請求項２に記載の差ファー兼用ベッドを提供することにより上記課題を解決する
ものである。
【００１０】
本考案は請求項４の、ベッド状態からソファー状態へ又は、ソファー状態からベッド状
態への変換手段として、前記左右一対の側面パネルには、前記ソファー兼用のベッド部の
移動を規制するベッド部位置決め機構が設けられ、前記背もたれにはランナーを、前記左
右一対の側面パネルにはレールと固定板を設け、前記レールに前記ランナーが組み込まれ
、前面から前記背もたれを移動又は、維持が可能な背もたれ移動装置を備えていることを
特徴とする請求項１から請求項３に記載のソファー兼用ベッドを提供することにより上記
課題を解決するものである。
【考案の効果】
【００１１】
ベッド状態に変換する際には、前面から背もたれを天板下部に収納するので前記背もた
れの移動距離は短く、変換の手間と労力が軽減される。又、ソファー状態へ変換した際に
は、背もたれ背後の天板下部に収納庫が形成され、前記背もたれは前記収納庫の扉を兼ね
寝具は収納庫に遮蔽された状態で収納出来る。背もたれの移動が前面から出来るので部屋
における本考案のソファー兼用ベッドの設置場所は自由である。
【図面の簡単な説明】
【００１２】
【図１】図１は、ソファー状態へ変換した際の斜視図である。
【図２】図２は、図１４に於ける断面図Ａ−Ａである。
【図３】図３は、図１５に於ける断面図Ｂ−Ｂである。
【図４】図４は、側面パネルの詳細図である。
【図５】図５は、背もたれの斜視図である。
【図６】図６は、図１５に於ける断面図Ｃ−Ｃである。
【図７】図７は、図２における断面図Ｄ−Ｄであり、レールにランナーが組み込まれた状態を示す。
【図８】図８は、ベッド部の斜視図である。
【図９】図９は、ベッド状態からソファー状態への変換方法を示す断面図である。
【図１０】図１０は、ソファー状態からベッド状態への変換方法を示す断面図である。
【図１１】図１１は、背もたれの軌跡を示す断面図である。
【図１２】図１２は、垂直部材を省いた別の実施例を示す斜視図である。
【図１３】図１３は、天板をＡ面へ拡張した別の実施例を示す断面図である。
【図１４】図１４は、ベッド状態へ変換した際の正面図である。
【図１５】図１５は、ソファー状態へ変換した際の正面図である。
【考案を実施するための形態】
【００１３】
図２はベッド状態へ変換した際の断面図であり、図３はソファー状態へ変換した際の断
面図である。背もたれ移動装置と、ベッド部位置決め機構によりソファー状態からベッド
状態へ又は、ベッド状態からソファー状態へ変換が可能である。
【００１４】
本考案のソファー兼用ベッドは、図１から図３に示すように、左右一対の側面パネル３
と、左右一対の側面パネル３の間に差し渡した天板６と、天板６の下部に天板６に垂直に
設けた垂直パネル９と、ベッド状態へ変換した際には天板６の下部に収納が可能で、ソフ
ァー状態へ変換した際にはベッド部材１１上の予め定められた使用位置に移動が可能な背
もたれ８と、移動が可能なソファー兼用のベッド部から構成されている。
【００１５】
図１から図３に示すように、ベッド部２は左右一対の垂直部材１２と、左右一対の垂直
部材１２の間に設けたベッド部材１１と、天板６下部に収納される側のベッド部材１１長
側辺に設けたベッド部垂直パネル１３と、ベッド部材１１の下部に設けたストッパー付き
キャスター１４から構成されている。左右一対の垂直部材１２は、ソファー状態へ変換し
た際には肘掛としての機能がある。図８に示すように、ベッド部垂直パネル１３は左右一
対の側面パネル３近傍の左右対称の位置に突起１３ａを設けているが、図示してない。
【００１６】
背もたれ移動装置について説明する。図４に示すように、左右一対の側面パネル３の向
かい合う面の対称の位置にレール４と固定版５が取り付けられ、図５に示すように、背も
たれ８は、左右一対の側面パネル３近傍の左右対称の位置にランナー１０を設けているが
、一方は図示してない。図７に示すように、レール４にランナー１０が組み込まれレール
４ｂ、レール４ａをランナー１０が移動できるように構成され、ランナー１０の移動に伴
って背もたれ８は移動する。図４に示すように、レール４と固定板５ｂは背もたれの収納
方向に向かって低く傾斜し、背もたれ８は収納する際に、重力で自然に低い方へ移動する
ため振動によって突出するのを防止する。
【００１７】
ベッド部位置決め機構について説明する。図４に示すように、左右一対の側面パネル３
の向かい合う面の対称の位置にある溝７の７ａから７ｂ間を、図８に示すベッド部垂直パ
ネル１３ａが移動する仕組みである。ベッド状態へ変換した際には、ベッド部垂直パネル
１３ａは側面パネル３の溝７ａで停止する。ソファー状態へ変換した際には、ベッド部垂
直パネル１３ａは側面パネル３の溝７ｂで停止する。ベッド状態へ又は、ソファー状態へ
変換後ストッパー付きキャスター１４のストッパーを掛けるとより安定する。
【００１８】
収納庫１５について説明する。図３に示すように、ソファー状態へ変換した際には左右
一対の側面パネル３と、天板６と、垂直パネル９と、ベッド部材１１と、ベッド部垂直パ
ネル１３と、背もたれ８に包囲された空間は収納庫１５を形成し、背もたれ８は収納庫１
５の扉の役割も兼ねる。
【００１９】
ベッド状態からソファー状態への変換方法について、図９を参照に説明する。変換はア
からエの順に行う。アは、ベッド部材１１上のベッド部垂直パネル１３近傍に寝具１６を
寄せて、ベッド部２の一部を天板６下部へ移動する。イは、ベッド部垂直パネル１３が垂
直パネル９に接し、ベッド部垂直パネル１３ａが左右一対の側面パネル３の溝７ｂで停止
した状態である。背もたれ８ａに指を掛け、収納状態の背もたれ８を引いてから下へ向き
を変える。図５に、背もたれ８の詳細を示す。図９のウは、背もたれ８をソファー状態の
定位置へ移動する。エは、ソファー状態を示す。ソファー状態に於ける背もたれ８の定位
置とは、図６に示すように、ランナー１０がレール４ｂに連続して上部奥側に伸びたレー
ル４ａに維持され、背もたれ８が天板６ａと、固定板５ｂに維持された状態である。又、
ベッド部２のストッパー付きキャスター１４のストッパーを掛ける。
【００２０】
ソファー状態からベッド状態への変換方法について、図１０を参照に説明する。変換は
、エからアの順に行う。エは、図６に示すように、レール４ｂに連続して上部奥側に延び
たレール４ａに維持されたランナー１０をレール４ｂへ移動する。図１０のウは、背もた
れ８の下部を上げる。イは、背もたれ８をレール４と固定板５に沿って収納する。ストッ
パー付きキャスター１４のストッパーを外しベッド部２を引き出す。アは、ベッド状態を
示す。ベッド部垂直パネル１３ａが左右一対の側面パネル３の溝７ａで停止した状態であ
る。ストッパー付きキャスター１４のストッパーを掛け、ベッド部材１１上に寝具１６を
広げる。
【００２１】
図１１は、背もたれ８の軌跡を示すものであり、背もたれ８がランナー１０を軸として
移動、回転する際、天板６には接触せずに移動することを示す図である。背もたれ８の軌
跡を二点鎖線で表わしている。
【００２２】
図３に示すように、背もたれ８背後の天板６下部に形成された収納庫１５に収納された
寝具１６は遮蔽される。収納庫１５に寝具１６を収納することで、ソファー状態からベッ
ド状態へ又は、ベッド状態からソファー状態への変換が容易となり、したがって部屋の多
様化を図ることも容易である。
【００２３】
図１２は、図１に於ける垂直部材１２を省略した別の実施例である。
【００２４】
図１３は、天板６をＡ面へ拡張した別の実施例である。Ａ面から椅子を用いて天板の上
で作業する際、天板の下に足が入り作業が楽である。
【符号の説明】
【００２５】
１      ソファ兼用ベッド
２      ベッド部
３      側面パネル
４      レール
４ａ    レール
４ｂ    レール
５      固定板
５ａ    固定板
５ｂ    固定板
６      天板
７      溝
７ａ    溝
７ｂ    溝
８      背もたれ
８ａ    背もたれ
９      垂直パネル
１０    ランナー
１１    ベッド部材
１２    垂直部材
１３    ベッド部垂直パネル
１３ａ  ベッド部垂直パネル
１４    キャスター
１５    収納庫
１６    寝具
【図１】
0003161444.tif 000003
【図２】
0003161444.tif 000004
【図３】
0003161444.tif 000005
【図４】
0003161444.tif 000006
【図５】
0003161444.tif 000007
【図６】
0003161444.tif 000008
【図７】
0003161444.tif 000009
【図８】
0003161444.tif 000010
【図９】
0003161444.tif 000011
【図１０】
0003161444.tif 000012
【図１１】
0003161444.tif 000013
【図１２】
0003161444.tif 000014
【図１３】
0003161444.tif 000015
【図１４】
0003161444.tif 000016
【図１５】
0003161444.tif 000017